(57)【要約】【課題】車両用開閉体の開閉装置において、駆動ユニットの室内側への突出量を小さくして、室内空間の増大を図る。【解決手段】車体を構成するルーフサイドパネル１９に、正逆転可能なモータ１１と、モータ１１の回転を減速する減速ギヤが配列されたケーシング１６と、ケーシング１６に支持され、かつ減速ギヤの回転により前後方向へ移動可能な出力部材１７とを含む駆動ユニット７を取り付けるとともに、出力部材１７を、車体にヒンジ部材により開閉可能に枢着された開閉体に連結して、出力部材１７の移動をもって、開閉体を開閉させるようにした車両用開閉装置の取付構造において、ルーフサイドパネル１９に、駆動ユニット７を陥入可能な凹部２２を設ける。【選択図】　　　　図３
2004050883.tif 000002
【特許請求の範囲】
【請求項１】
車体を構成するルーフサイドパネルに、正逆転可能なモータと、該モータの回転を減速する減速ギヤが配列されたケーシングと、該ケーシングに支持され、かつ前記減速ギヤの回転により前後方向へ移動可能な出力部材とを含む駆動ユニットを取り付けるとともに、前記出力部材を、前記車体にヒンジ部材により開閉可能に枢着された開閉体に連結して、前記出力部材の移動をもって、前記開閉体を開閉させるようにした車両用開閉装置の取付構造において、
前記ルーフサイドパネルに、前記駆動ユニットを陥入可能な凹部を設けたことを特徴とする車両用開閉装置の取付構造。
【請求項２】
ルーフサイドパネルの凹部を、モータと駆動ユニットとが陥入可能な大きさとした請求項１記載の車両用開閉装置の取付構造。
【請求項３】
ルーフサイドパネルの凹部に、駆動ユニットのモータを前後方向に沿って挿入可能な開口を設けた請求項１または２記載の車両用開閉装置の取付構造。
【発明の詳細な説明】
【０００１】
【発明の属する技術分野】
本発明は、車両用開閉装置の取付構造に関する。詳しくは、車体を構成するルーフサイドパネルに、正逆転可能なモータと、モータの回転を減速する減速ギヤが配列されたケーシングと、ケーシングに支持され、かつ減速ギヤの回転により前後方向へ移動可能な出力部材とを含む駆動ユニットを取り付けるとともに、出力部材を、車体にヒンジ部材により開閉可能に枢着された開閉体に連結して、出力部材の移動をもって、開閉体を開閉させるようにした車両用開閉装置の取付構造に関する。
【０００２】
【従来の技術】
従来、車体後部に左右１対のヒンジ部材により上下方向に開閉可能に枢着された開閉体をモータにより開閉させるようにした車両用開閉装置においては、モータと、モータの回転を減速して外部に出力する減速ギヤ等を収容したケーシングとを含む駆動ユニットを、車体を構成するルーフ部材である車両前後方向へ延在するルーフサイドパネルに取り付けるとともに、ケーシングに前後方向へ移動可能に支持された出力部材が、ヒンジ部材を構成するヒンジアームに連結されるようになっている（例えば、特開２００１−１９９２４２号公報参照）。
【０００３】
【発明が解決しようとする課題】
しかし、上述のような従来の車両用開閉装置によると、駆動ユニットがルーフサイドパネルの室内側を向く側面に取り付けられるため、特に、駆動ユニットのモータ、ケーシングが室内側に大きく突出して、後席乗員のヘッドクリアランスを狭め、室内空間を減少させてしまうという問題がある。
【０００４】
また、駆動ユニットがルーフサイドパネルの室内側を向く側面に取り付けられと、駆動ユニットが車幅方向の中央寄りに配置されることとなり、出力部材（上記従来の技術においては”スライダ”）の位置が、ヒンジアームの位置よりも車幅方向の中央寄りとなって、出力部材とヒンジアームとが、互いに車幅方向にずれた位置関係になる。
【０００５】
上述のように、出力部材の位置が、ヒンジアームに対して車幅方向へずれた位置にあると、出力部材の前後方向の移動をヒンジアームに伝達させる際、出力部材からヒンジアームに力を伝達する方向が、出力部材の移動方向に対して斜め方向となり、出力部材からヒンジアームに伝達する力の伝達効率が悪くなる。
【０００６】
この伝達効率を向上させるために、ヒンジアームを、出力部材の移動方向の延長線上に配置すれば、出力部材とヒンジアームとが前後方向に一列に並んで、伝達効率の向上を図ることができるが、その反面、車体に対するヒンジアームの取り付け位置が車幅方向の中央寄りになってしまい、左右のヒンジアーム間のスパンが狭まり、リヤゲートの支持剛性の低下を招くおそれがある。
【０００７】
本発明は、従来の技術が有する上記のような問題点に鑑み、駆動ユニットの室内側への突出量を小さくして、室内空間の増大を図ることができるようにした車両用開閉装置の取付構造を提供することを目的としている。
【０００８】
【課題を解決するための手段】
本発明によると、上記課題は、次のようにして解決される。
（１）車体を構成するルーフサイドパネルに、正逆転可能なモータと、該モータの回転を減速する減速ギヤが配列されたケーシングと、該ケーシングに支持され、かつ前記減速ギヤの回転により前後方向へ移動可能な出力部材とを含む駆動ユニットを取り付けるとともに、前記出力部材を、前記車体にヒンジ部材により開閉可能に枢着された開閉体に連結して、前記出力部材の移動をもって、前記開閉体を開閉させるようにした車両用開閉装置の取付構造において、前記ルーフサイドパネルに、前記駆動ユニットを陥入可能な凹部を設ける。
【０００９】
（２）上記（１）項において、ルーフサイドパネルの凹部を、モータと駆動ユニットとが陥入可能な大きさとする。
【００１０】
（３）上記（１）または（２）項において、ルーフサイドパネルの凹部に、駆動ユニットのモータを前後方向に沿って挿入可能な開口を設ける。
【００１１】
【発明の実施の形態】
以下、本発明における一実施形態を、図面に基づいて説明する。
図１は、本実施形態の概要を示す車体後部の側面図、図２は、駆動ユニットを示す要部の拡大側面図、図３は、図２におけるＩＩＩ−ＩＩＩ線に沿う拡大縦断面図、図４は、駆動ユニットを示す要部の平面図である。なお、以下の説明では、図１、２及び図４において、左方を「前方」、右方を「後方」とし、図３において、左方を「室内側」、右方を「車外側」とする。
【００１２】
車体（１）の後部には、左右の後部ピラー（図示略）とルーフパネル（２）の後縁とによって開口部（３）が形成され、ルーフパネル（２）の後端に、左右１対のヒンジ部材を構成するヒンジアーム（４）を介して上下方向に回動可能に枢着した開閉体をなすリヤゲート（５）をもって、開口部（３）を開閉しうるようになっている。
【００１３】
リヤゲート（５）は、ルーフパネル（２）の下面とルーフパネル（２）の下方に張設された室内側のルーフトリム（６）との間に設置される駆動ユニット（７）によって、図１に実線で示す全閉位置と、２点鎖線で示す全開位置との間に渡って開閉駆動させられる。
【００１４】
ヒンジアーム（４）は、開口部（３）の上部開口縁部に沿って車幅方向に延在する車体を構成するルーフリヤレール（８）の上面に固着された左右１対のヒンジブラケット（９）に、左右方向を向くヒンジ軸（１０）によって基端が枢着されるとともに、基端から下方前方へ延在し、かつ下端からヒンジ軸（１０）を中心とする円弧状に後方へ延在する後端部が、リヤゲート（５）に連結されている。
【００１５】
駆動ユニット（７）は、正逆回転可能なモータ（１１）と、モータ（１１）の回転を減速する減速ギヤをなす図３に示すウォームホイール（１２）、中間ギヤ（１３）、モータ（１１）の回転力を最終的に減速して外部に出力する出力ギヤ（１４）、及びモータ（１１）と出力ギヤ（１４）との間の伝達経路を断続する電磁式のクラッチ（１５）が配設されたケーシング（１６）と、出力ギヤ（１４）に噛合して前後方向へ移動可能な出力部材をなすラック（１７）とを有している。
【００１６】
モータ（１１）は、その出力軸がヒンジ軸（１０）の軸線方向と直交する方向、すなわち前後方向へ向くようにして、ケーシング（１６）の前端側に連結されている。
なお、ウォームホイール（１２）及びクラッチ（１５）は、ケーシング（１６）の内部に設けられ、中間ギヤ（１３）及び出力ギヤ（１４）は、ケーシング（１６）の外部側面に固定された左右の支持プレート（１８）（１８）間に枢支されている。
【００１７】
駆動ユニット（７）は、ルーフパネル（２）の下方において前後方向に延在する車体を構成するルーフサイドパネル（１９）に、ケーシング（１６）に固定された図示略の取付ブラケットを介して固定される。
【００１８】
ラック（１７）は、後端部が左右方向を向く軸（２０）によって、ヒンジアーム（４）に回動可能に連結されるとともに、両支持プレート（１８）間に前後方向へ移動可能に案内されている。
【００１９】
ラック（１７）の両側面は、両支持プレート（１８）間に前後方向へ摺動可能に挟持され、またラック（１７）の上下部は、両支持プレート（１８）の上部に枢着されたローラ（２１）と出力ギヤ（１４）との間に前後方向へ摺動可能に挟持されている。
【００２０】
ルーフサイドパネル（１９）の駆動ユニット（７）が取り付けられる箇所の室内側を向く側面には、モータ（１１）及びケーシング（１６）の車外側を向く側部が陥入可能な凹部（２２）が設けられている。
【００２１】
凹部（２２）は、モータ（１１）及びケーシング（１６）の車外側を向く側部の全体が陥入可能な面積、すなわち大きさを有するとともに、ルーフサイドパネル（１９）の一部を切り欠くことなく形成されることにより、ルーフサイドパネル（１９）の剛性を落とすことはない。
【００２２】
駆動ユニット（７）は、モータ（１１）及びケーシング（１６）の車外側を向く側部の全体をルーフサイドパネル（１９）の凹部（２２）に陥入させた形態で、ルーフサイドパネル（１９）に図示略の取付ブラケットを介して固定される。これにより、駆動ユニット（７）全体の取り付け位置を、従来に比して車外側寄りにすることができ、駆動ユニット（７）の室内側への突出量を小さくして、室内空間の増大を図り、後席乗員のヘッドクリアランスを十分に確保することができる。
【００２３】
また、駆動ユニット（７）を車外側寄りに取り付け可能であるため、ラック（１７）も車外側寄りに配置することができるとともに、図４に示すように、平面視において、ラック（１７）をヒンジアーム（４）に対して前後方向へほぼ一列に並ぶような位置に配置することが可能になる。
【００２４】
次に、本実施形態における作用について説明する。
リヤゲート（５）が全閉位置にあるとき、図示略の操作スイッチがオープン操作されると、クラッチ（１５）が励磁されて、モータ（１１）と出力ギヤ（１４）間の伝達経路が接続されるとともに、モータ（１１）は正転制御される。
【００２５】
モータ（１１）の正転により、ウォームホイール（１２）、クラッチ（１５）、中間ギヤ（１３）、及び出力ギヤ（１４）を介して、ラック（１７）が図２に示す全閉位置から後方へ移動させられることにより、リヤゲート（５）は、ヒンジアーム（４）を介して、開き方向に揺動させられて、全開位置で停止する。
【００２６】
また、リヤゲート（５）が全開位置にあるとき、操作スイッチがクローズ操作されると、クラッチ（１５）が励磁されるとともに、モータ（１１）は逆転制御される。これにより、出力ギヤ（１４）が前述と逆の方向へ回動させられて、ラック（１７）が前方へ移動させられることにより、リヤゲート（５）は、ヒンジアーム（４）を介して閉じ方向に揺動させられ、全閉位置で停止する。
【００２７】
リヤゲート（５）を開き方向または閉じ方向へ揺動させる際、ラック（１７）とヒンジアーム（４）とが、互いに車幅方向にずれていない車両前後方向に一列に並んだ位置関係にあるため、ラック（１７）の前後方向の移動をもって、ヒンジアーム（４）を開閉方向へ効率的に揺動させることができる。
【００２８】
図５は、本発明における他の実施形態を示す。ルーフサイドパネル（１９）の凹部（２３）は、モータ（１１）が室内側に突出することがないように、モータ（１１）の全体を収容し得るように、車外側に凹んでいる。凹部（２３）における前壁（２３ａ）には、モータ（１１）の前部が挿入可能な開口（２４）が穿設されている。
【００２９】
駆動ユニット（７）は、モータ（１１）の後部及びケーシング（１６）を凹部（２３）に嵌入させ、かつモータ（１１）の前部を開口（２４）に挿入させた形態で、図示略の取付ブラケットを介してルーフサイドパネル（１９）に固定される。
上述の構成にすることにより、凹部（２３）の前後方向の長さを、前記実施例に比して短縮することができる。
【００３０】
なお、本発明は、上記実施形態に特定されるものでなく、本発明の要旨を逸脱しない範囲内で、上記実施形態に種々の変形や変更を施すことが可能である。例えば、出力部材をラック（１７）に代えて、ベルト、チェーン、連結ロッド等にすること、モータ（１１）をケーシング（１６）の後部に連結すること、ヒンジアーム（４）を他の形状にすること、出力部材を直接リヤゲート（５）に連結すること等が挙げられる。
【００３１】
【発明の効果】
本発明によれば、次のような効果を奏することができる。
（ａ）請求項１記載の発明によると、駆動ユニットの室内側への突出量を小さくして、室内空間の増大を図ることができる
さらには、両ヒンジ部材間を狭めることなく、出力部材とヒンジ部材とを、出力部材の移動方向に沿って一列に並ぶように配置することが可能になるため、開閉体の支持剛性を確保しつつ出力部材からヒンジ部材への力の伝達効率の向上を図り、開閉体を円滑に開閉させることができる。
【００３２】
（ｂ）請求項２記載の発明によると、請求項１の発明の効果に加えて、駆動ユニットのモータ及びケーシングの室内側への突出量を小さくすることができる。
【００３３】
（ｃ）請求項３記載の発明によると、請求項１または２の発明の効果に加えて、凹部の前後方向の長さを短縮することができる。
【図面の簡単な説明】
【図１】本発明における一実施形態の概要を示す車体後部の側面図である。
【図２】同じく、駆動ユニットを示す要部の拡大側面図である。
【図３】図２におけるＩＩＩ−ＩＩＩ線に沿う拡大縦断面図である。
【図４】駆動ユニットを示す要部の平面図である。
【図５】本発明における他の実施形態を示す図３と同一部位の縦断面図である。
【符号の説明】
（１）車体
（２）ルーフパネル
（３）開口部
（４）ヒンジアーム（ヒンジ部材）
（５）リヤゲート（開閉体）
（６）ルーフトリム
（７）駆動ユニット
（８）ルーフリヤレール
（９）ヒンジブラケット
（１０）ヒンジ軸
（１１）モータ
（１２）ウォームホイール（減速ギヤ）
（１３）中間ギヤ（減速ギヤ）
（１４）出力ギヤ（減速ギヤ）
（１５）クラッチ
（１６）ケーシング
（１７）ラック（出力部材）
（１８）支持プレート
（１９）ルーフサイドパネル
（２０）軸
（２１）ローラ
（２２）（２３）凹部
（２３ａ）前壁
（２４）開口
【図１】
2004050883.tif 000003
【図２】
2004050883.tif 000004
【図３】
2004050883.tif 000005
【図４】
2004050883.tif 000006
【図５】
2004050883.tif 000007